(57)【特許請求の範囲】
【請求項１】
サーバ装置と通信可能な画像処理装置であって、 
前記画像表示装置が接続されるのに応じて、当該画像表示装置から識別情報を取得する第１の取得手段と、
前記第１の取得手段によって取得された識別情報を前記サーバ装置に通知する通知手段と、
前記通知手段によって通知された識別情報に対応する画像情報を前記サーバ装置から受信する第１の受信手段と、
前記サーバ装置において保持される複数の画像表示装置それぞれの識別情報を、当該サーバ装置から取得する第２の取得手段と、
前記第２の取得手段によって取得された複数の識別情報の中からユーザによって選択された識別情報に対応する画像情報を前記サーバ装置から受信する第２の受信手段と、
前記第１の受信手段又は前記第２の受信手段により受信された画像情報を前記画像表示装置に転送する転送手段と、
を有することを特徴とする画像処理装置。
【請求項２】
前記サーバ装置から取得する画像情報を特定するための検索条件を設定する設定手段を更に有し、
前記第１の受信手段は、前記設定手段によって設定された検索条件を満たす画像情報を前記サーバ装置から受信することを特徴とする請求項１に記載の画像処理装置。 
【請求項３】
前記検索条件は、日時情報であることを特徴とする請求項２に記載の画像処理装置。 
【請求項４】
前記画像情報は、ページ記述言語に基づく印刷情報であることを特徴とする請求項１乃至３のいずれか１項に記載の画像処理装置。
【請求項５】
前記第２の取得手段は、前記通知手段によって通知された識別情報に対応する画像情報を前記サーバ装置が保持していない場合に、当該サーバ装置において保持される複数の画像表示装置それぞれの識別情報を取得することを特徴とする請求項１乃至４のいずれか１項に記載の画像処理装置。
【請求項６】
前記画像表示装置は電子ペーパーであることを特徴とする請求項１乃至５のいずれか１項に記載の画像処理装置。
【請求項７】
前記第２の取得手段によって取得された複数の識別情報を表示する表示手段を更に有することを特徴とする請求項１乃至６のいずれか１項に記載の画像処理装置。
【請求項８】
サーバ装置と通信可能な画像処理装置におけるデータ処理方法であって、 
前記画像表示装置が接続されるのに応じて、当該画像表示装置から識別情報を取得する第１の取得ステップと、
前記第１の取得ステップによって取得された識別情報を前記サーバ装置に通知する通知ステップと、
前記通知ステップによって通知された識別情報に対応する画像情報を前記サーバ装置から受信する第１の受信ステップと、
前記サーバ装置において保持される複数の画像表示装置それぞれの識別情報を、当該サーバ装置から取得する第２の取得ステップと、
前記第２の取得ステップによって取得された複数の識別情報の中からユーザによって選択された識別情報に対応する画像情報を前記サーバ装置から受信する第２の受信ステップと、
前記第１の受信ステップ又は前記第２の受信ステップにより受信された画像情報を前記画像表示装置に転送する転送ステップと、 
を有することを特徴とするデータ処理方法。
【請求項９】
請求項８に記載のデータ処理方法をコンピュータに実行させるためのプログラム。
【発明の詳細な説明】
【技術分野】
【０００１】
本発明は、サーバ装置と通信可能な画像処理装置、データ処理方法、及びプログラムに関するものである。
【背景技術】
【０００２】
これまで、コンピュータで作成された文書データは、ＬＢＰプリンタや複写機で紙に出力して持ち運び会議等で使用されている。また、パソコンを持ち歩き、パソコン上でデータを参照するといったことも行われているが、紙の視認性、軽量性から、未だ紙の利用の方が広く一般的である。
【０００３】
しかし、近年、省エネルギーへの活動が盛んとなりつつなる中、紙のリサイクル化はもちろん、紙の代替手段の開発も行われている。特に、電子ペーパと呼ばれる素材は、質量が軽く、視認性が高く、メモリ性を有するため電気をほとんど消費しないうえ、折り曲げることができ紙の代替手段として実用化され始めている。
【０００４】
また、電子ペーパに文書データを送信する画像処理装置として、例えば、特許文献１が公開されている。
【特許文献１】特開2005-238709号公報
【発明の開示】
【発明が解決しようとする課題】
【０００５】
しかしながら、電子ペーパに画像を表示させるための手段として、電子化された文書データを電子ペーパに送信する必要がある。このためには、電子ペーパをコンピュータに直接接続してコンピュータから文書データを取得するか、あらかじめ文書データをサーバのハードディスクや画像処理装置のメモリに保存しておき、電子ペーパの接続を検知する。そして、文書データを取得して表示するシステムがあるが、複数の人で共有するサーバシステムでは、何ら文書データを特定するような情報を利用していない。このため、他人のデータとの識別ができなかったり、間違って不要なデータが取得出来てしまったりする問題がある。
【０００６】
本発明は、上記の課題を解決するためになされたもので、本発明の目的は、画像処理装置に接続される画像表示装置の識別情報で特定される画像情報をサーバ装置から取得して画像表示装置に転送できる仕組みを提供することである。
【課題を解決するための手段】
【０００７】
上記目的を達成する本発明の画像処理装置は以下に示す構成を備える。
【０００８】
サーバ装置と通信可能な画像処理装置であって、前記画像表示装置が接続されるのに応じて、当該画像表示装置から識別情報を取得する第１の取得手段と、前記第１の取得手段によって取得された識別情報を前記サーバ装置に通知する通知手段と、前記通知手段によって通知された識別情報に対応する画像情報を前記サーバ装置から受信する第１の受信手段と、前記サーバ装置において保持される複数の画像表示装置それぞれの識別情報を、当該サーバ装置から取得する第２の取得手段と、前記第２の取得手段によって取得された複数の識別情報の中からユーザによって選択された識別情報に対応する画像情報を前記サーバ装置から受信する第２の受信手段と、前記第１の受信手段又は前記第２の受信手段により受信された画像情報を前記画像表示装置に転送する転送手段と、を有することを特徴とする。
【発明の効果】
【００１３】
本発明によれば、画像処理装置に接続される画像表示装置の識別情報で特定される画像情報をサーバ装置から取得して、画像情報から生成される表示情報を画像表示装置に転送できる。
【００１４】
また、複数の画像表示装置の識別情報を表示させてユーザが当該識別情報を選択することに応じて、選択した識別情報に対応した画像情報を利便性よく取得することができる。
【発明を実施するための最良の形態】
【００１５】
次に本発明を実施するための最良の形態について図面を参照して説明する。
【００１６】
＜システム構成の説明＞
〔第１実施形態〕
図１は、本発明の第１実施形態を示す情報処理装置、サーバ装置、画像処理装置、画像表示装置を含む画像処理システムの構成を説明する図である。
【００１７】
本例は、制御装置１００は、ＬＡＮ４００を介して、ホストコンピュータ１０１、サーバ１０２と通信可能である。また、制御装置１００は、インタフェースを介してペーパディスプレイ部（電子ペーパ）５００と通信可能に構成されたシステム例である。
【００１８】
図１において、リーダ装置（リーダ部）２００は、原稿画像を光学的に読み取り、画像データに変換する。リーダ部２００は、原稿を読み取るための機能を持つスキャナユニット２１０と、原稿用紙を搬送するための機能を持つ原稿給紙ユニット（ＤＦユニット）２５０とで構成される。ＤＦユニット２５０は、オプションユニットで必ず必要とするものではない。
【００１９】
プリンタ装置（プリンタ部）３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０とで構成される。
【００２０】
また、プリンタ部３００には、プリンタ部で出力された記録紙をスタック機能、シフト機能を有する排紙ユニット３３０が接続される。
【００２１】
制御装置１００は、リーダ部２００、プリンタ部３００と電気的に接続され、さらにＬＡＮ４００を介して、ホストコンピュータ１０１と画像保存用のサーバ１０２が接続されている。
【００２２】
また、制御装置１００は、リーダ部２００を制御して、原稿の画像データを読み込み、プリンタ部３００を制御して画像データを記録媒体に出力してコピー機能を提供する。また、制御装置１００は、リーダ部２００から読み取った画像データを、コードデータに変換し、ＬＡＮ４００を介してコンピュータへ送信するスキャナ機能を提供する。
【００２３】
さらに、制御装置１００は、ホストコンピュータ１０１からＬＡＮ４００を介して受信したPDL（ページ記述言語）コードデータをラスタイメージデータに変換する。そして、制御装置１００は、プリンタ部３００に出力するプリンタ機能、及びペーパディスプレイ部（電子ペーパ）５００が接続された時は、描画のための画像を送信する画像転送機能を提供する。
【００２４】
操作部１５０は、制御装置１００に接続され、液晶タッチパネルで構成され、制御装置を操作するためのユーザI/Fを提供する。
【００２５】
このように構成された画像処理システムを構成する情報処理装置、サーバ装置、画像表示装置における特徴的構成を以下に示す。
【００２６】
制御装置１００は、図１に示すようにリーダ装置２００とプリンタ装置３００とを備え、画像データの入力処理と、画像データの出力処理とを総括制御する。さらに、画像表示装置として機能するペーパディスプレイ部５００を接続可能に構成されている。
【００２７】
また、制御装置１００は、ホストコンピュータ１０１からペーパディスプレイ部５００に転送可能な画像情報とペーパディスプレイ部５００を識別する識別情報を記憶するサーバ１０２とNetwork Controller１３７を介して通信可能に構成されている。
【００２８】
そして、制御装置１００は、ペーパディスプレイ部５００が後述する図３に示すコネクタ１４３、１４４に接続されたことに応じて、ペーパディスプレイ部５００から識別情報を取得する。そして、制御装置１００は、該取得された識別情報に対応する画像情報をNetwork Controller１３７を介してサーバ１０２から取得する取得機能を備える。これは、制御装置１００が取得された識別情報を付加して画像情報の取得要求を所定のプロトコルで行うことで実現される。
【００２９】
そして、制御装置１００がNetwork Controller１３７を介してサーバ１０２から上記識別情報に合致する画像情報を取得したら、該取得した画像情報を表示情報に変換してペーパディスプレイ部５００に転送する転送機能を備える。なお、制御装置１００は、サーバ１０２から取得した画像情報をそのままペーパディスプレイ部５００に転送可能な場合には、表示情報への変換を行うことなしに、画像情報をペーパディスプレイ部５００に転送する。
【００３０】
また、制御装置１００は、サーバ１０２から取得する画像情報を特定する検索条件を設定する設定機能を備える。また、制御装置１００は、ペーパディスプレイ部５００が接続されたことに応じて、ペーパディスプレイ部５００から識別情報を取得し、該取得された識別情報と設定された前記検索条件に対応する画像情報をサーバ１０２から取得する取得機能を備える。なお、特定する検索条件としては、日時情報が好適である。例えば会議の日時に合わせて、会議資料等を特定できるからである。
【００３１】
また、制御装置１００は、サーバ１０２から取得された画像情報を表示情報に変換してペーパディスプレイ部５００に転送する転送機能を備える。ここでも、制御装置１００は、サーバ１０２から取得した画像情報をそのままペーパディスプレイ部５００に転送可能な場合には、表示情報への変換を行うことなしに、画像情報をペーパディスプレイ部５００に転送する。
【００３２】
一方、ホストコンピュータ１０１は、サーバ１０２とＬＡＮ４００を介して通信可能に構成されている。
【００３３】
そして、ホストコンピュータ１０１はペーパディスプレイ部５００に転送可能な画像情報を生成する生成機能を備える。これは、ホストコンピュータ１０１のプリンタドライバが描画コマンドをＧＤＩに変換する等の処理により生成されるものとする。ＰＤＦファイルを作成可能なアプリケーションから生成されるものであってもよい。
【００３４】
さらに、ホストコンピュータ１０１は、生成された画像情報にペーパディスプレイ部５００を識別する識別情報を付加する付加機能を備える。
【００３５】
また、ホストコンピュータ１０１は、図示しなネットワークコントローラ等を介して、画像情報にペーパディスプレイ部５００を識別する識別情報を付加してサーバ１０２に転送する転送機能を備える。これにより、サーバ１０２が備える外部記憶装置に記憶される。
【００３６】
なお、画像情報をサーバ１０２に転送する場合に、上記識別情報とともに、画像情報を特定するための特定情報とを付加してもよい。
【００３７】
これにより、制御装置１００が操作部１５０から、画像情報を特定するための日時情報等の特定情報等が入力された場合に、サーバ１０２が外部記憶装置が記憶された画像情報に識別情報と特定情報を付加してサーバ１０２に転送する転送機能とを備える。
【００３８】
一方、サーバ１０２は、ホストコンピュータ１０１と、制御装置１００と通信可能に構成されている。
【００３９】
そして、サーバ１０２は、ホストコンピュータ１０１から取得する画像情報と、制御装置１００に接続可能なペーパディスプレイ部５００の識別情報とを蓄積するハードディスク等の外部記憶装置を備える。
【００４０】
そして、制御装置１００からＬＡＮ４００を介して検索要求を受信すると、指定される識別情報に基づいて、外部記憶装置から特定される画像情報を制御装置１００に転送する転送機能を備える。
【００４１】
また、サーバ１０２は、ホストコンピュータ１０１から取得する画像情報と、制御装置１００に接続可能なペーパディスプレイ部５００の識別情報と、前記画像情報を特定するための特定情報とを外部記憶装置に記憶させる。そして、制御装置１００からの検索要求で指定される識別情報と検索条件で対応する特定情報に基づいて、外部記憶装置から特定される画像情報を制御装置１００に転送する構成としてもよい。
【００４２】
これにより、制御装置１００に接続されるペーパディスプレイ部５００の識別情報で特定される画像情報をサーバ１０２から取得して、画像情報から生成される表示情報をペーパディスプレイ部５００に転送できる。
【００４３】
また、制御装置１００は、設定される検索条件で画像情報に付加された特定情報を検索することで、検索条件に合致する画像情報をサーバ１０２から取得して、画像情報から生成される表示情報をペーパディスプレイ部５００に転送できる。これにより、ペーパディスプレイ部５００の識別情報が同一であっても、特定情報により、異なる画像情報をサーバ１０２から取得して表示させることができる。
【００４４】
なお、特定情報は、検索要求時にサーバ１０２に転送する場合について説明したが、最初に識別情報に基づく検索で、複数の画像情報をサーバ１０２から取得した後、操作部１５０から入力される特定情報に基づく絞り込みを行う。そして、制御装置１００で選別した画像情報をサーバ１０２に転送する構成としてもよい。
【００４５】
図２は、図１に示したリーダ装置２００、プリンタ装置３００，排紙ユニット３３０を含む画像処理装置の構成を説明する断面図である。
【００４６】
図２において、リーダ部の原稿給送ユニット２５０は原稿を先頭順に１枚ずつプラテンガラス２１１上へ搬送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６、及びレンズ２１７によってＣＣＤイメージセンサ（以下ＣＣＤという）２１８へ導かれる。このように、走査された原稿の画像はＣＣＤ２１８によって読み取られる。ＣＣＤ２１８から出力される画像データは、制御装置１００へ転送される。
【００４７】
プリンタ部３００のレーザドライバ３２１は、レーザ発光部３２２を駆動するものであり、制御装置１００から出力された画像データに応じたレーザ光をレーザ発光部３２２に発光させる。このレーザ光は感光ドラム３２３に対して、光学系を介して走査され、感光ドラム３２３にはレーザ光に応じた静電潜像が形成される。
【００４８】
この感光ドラム３２３の潜像の部分には現像器３２４によって現像剤が付着される。そして、レーザ光の照射開始と同期した給紙タイミングで、カセット３１１及びカセット３１２のいずれかから記録紙を給紙して転写部３２５へ搬送する。そして、搬送された記録紙は、感光ドラム３２３に付着された現像剤が転写される。そして、現像剤の乗った記録紙はさらに定着部３２６に搬送され、定着部３２６の熱と圧力により現像剤は記像紙に定着される。
【００４９】
そして、定着部３２６を通過した記録紙は排出ローラ３２７によって排出される。排紙ユニット３３０は、排出された記録紙を指定されたトレイにシフト出力することができる。
【００５０】
また、両面記録が設定されている場合は、排出ローラ３２７のところまで記録紙を搬送した後、排出ローラ３２７の回転方向を逆転させ、フラッパ３２８によって再給紙搬送路３２９へ導く。再給紙搬送路３２９へ導かれた記録紙は上述したタイミングで転写部３２５へ給紙される。
【００５１】
＜制御装置の説明＞
図３は、図１に示した制御装置１００の構成を説明するブロック図である。
【００５２】
図３において、制御装置１００は、主にＣＰＵ１１１、メモリ制御部１１２，バス制御部１１３，リーダI/F１１４，プリントI/F１１５，操作部I/F１１６を備える。さらに、制御装置１００はリーダ画像処理部１１７，プリント画像処理部１１８，圧縮伸張部１１９，無線I/F部１２０，シリアルI/F部１２１，ポート制御部１２２を備える。なお、特定の画像処理、例えば回転、変倍等の画像処理をＣＰＵ１１１や、図示しないサブＣＰＵがソフトウエアを実行することで同等の画像処理を行う構成としてもよい。
【００５３】
ＣＰＵ１１１とメモリ制御部１１２は、制御装置１００全体の動作を制御するものであり、ＣＰＵ１１１はメモリ１３１に格納されたプログラムに基づいて動作する。
【００５４】
また、ホストコンピュータ１０１からＬＡＮ４００を介して受信したPDLコードデータを解釈し、ラスタイメージデータに展開する動作も、このプログラムに記述されている。そして、ＣＰＵ１１１は、メモリ１３１に格納されたプログラムを実行することで、コードデータの解釈及びラスタイメージデータの展開を行う。
【００５５】
メモリ制御部１１２は、各I/Fから入出力されるデータ転送を制御するものであり、バス競合時の調停やDMAデータ転送の制御を行う。バス制御部１１３は、BootROM１３２，ROM１３３，モデム１３４のアクセスを制御する。
【００５６】
リーダI/F１１４はリーダ部２００から入力される画像データ受信し、メモリ１３１やリーダ画像処理部１１７に画像データを転送する。
【００５７】
リーダ画像処理部１１７は、リーダI/F１１４から受け取った画像に対して所定の画像処理を施す機能を有する。本実施形態における画像処理の一例としては、ラインピッチ補正，オフセット補正，非線形補正，色空間マッチング，MTF補正，空間フィルタ，無彩色判定等が挙げられる。
【００５８】
プリントI/F１１５では、プリンタ部３００から送られてくるビデオ制御信号をもとに制御信号を作成し、制御信号に合わせてビデオ信号を出力する。
【００５９】
プリント画像処理部１１８は、メモリ１３１もしくは圧縮伸張部１１９からラスタイメージデータを入力する機能を有する。また、プリント画像処理部１１８は、メモリ１３１，圧縮伸張部１１９，プリントI/F１１５の何れかにハーフトン画像処理を施したデータを出力する機能を有する。ここで、画像処理の一例としては、色空間圧縮，下地除去，log変換，非線形色空間変換，乱数加算，ガンマ変換，誤差拡散処理，スクリーン処理等が挙げられる。
【００６０】
圧伸張部１１９は、メモリ１３１に蓄積されたラスタイメージデータをMH/MR/MMR/JBIG/JPEG等の方式で圧縮し、また、逆に圧縮され蓄積されたコードデータをラスタイメージデータに伸長する。
【００６１】
変倍回転部１２３は、メモリ１３１に蓄積されたラスタイメージデータを拡大・縮小処理や、９０，１８０，２７０°回転処理を行う機能を有する。
【００６２】
BootROM１３２はＣＰＵ１１１のプログラムが格納される。ROM１３３はユーザーモードや各種設定情報を保存するのに用いられ、FontROMもROM１３３に格納される。
【００６３】
操作部I/F１１６は、操作部１５０との通信を行う。操作部１５０は液晶表示部と複数個のハードキーを有する。ハードキーにより入力された信号は前述した操作部I/F１１６を介してＣＰＵ１１１に伝えられ、液晶表示部では操作部I/F１１６から送られてきたデータを表示する。
【００６４】
また、液晶表示部には、本制御装置の操作における機能等を表示する。また、画像処理中における障害や、ジャム情報を表示可能に構成されている。また、認証処理が必要な機能を実行する場合には、認証情報の入力を催促するＵＩ画面等を表示する。
【００６５】
無線I/F１２０では、ホストコンピュータ１０１との通信、各種デバイスとの所定のプロトコルで通信を行う。無線I/Fとしては、一般的に無線LANが挙げられる。
【００６６】
シリアルI/F１２１では、ホストコンピュータ１０１との通信、各種デバイスとの通信がコネクタ１４３，１４４を介して行われる。本実施形態で、シリアルバスとしては一般的にUSBが挙げられる。
【００６７】
無線I/F１２０とシリアルI/F１２１は、ホストコンピュータ１０１からPDLデータを受信するI/Fや、ペーパディスプレイ部５００とのコマンド通信、画像データ転送等に用いられる。つまり、ペーパディスプレイ部５００は、有線、無線のいずれのインタフェースにも適応可能に構成されている。
【００６８】
モデム１３４とNCU１３５は、公衆回線に接続され、FAXの通信制御を行う。Network Controller１３７は外部ネットワークと接続される。ネットワークとしては一般的にイーサネット（登録商標）が挙げられ、ホストコンピュータ１０１からのPDLデータ受信や、スキャナ画像の送信、リモート管理等に用いられる。
【００６９】
リアルタイムクロックモジュール１３６は、機器内で管理する日付と時刻を更新/保存するためのもので、バックアップ電池によってバックアップされている。
【００７０】
センサ１４１はペーパディスプレイ部５００が本体に装着されたかを検出する。センサ１４１がペーパディスプレイ部５００が本体に装着されたのを検出すると、ペーパディスプレイ部５００との通信及び充電を開始する。充電器１４２はペーパディスプレイ部５００の充電を行う。充電器１４２とペーパディスプレイ部との接続は、本実施形態では有線・無線どちらでも構わない。
【００７１】
＜ペーパディスプレイ部５００の説明＞
ペーパディスプレイ部５００の機能を、図４に示すブロック図をもとに説明する。
【００７２】
図４は、図１に示したペーパディスプレイ部５００の構成を説明するブロック図である。
【００７３】
なお、ペーパディスプレイには、シリコンビーズによるものと、電気泳動によるものがある。このうち、一般的に電気泳動によるものは、具体的には、青色の液体と白色の帯電粒子(酸化チタン粒子)をマイクロカプセルの中にいれ、これを表示に使うものである。そして、白色粒子がマイクロカプセルの表側にある場合は、ディスプレイ面は白色に見える。ここで、マイクロカプセルの裏側に配置した電極にマイナスの電圧をかけると、酸化チタン粒子は裏側に引き寄せられるので、青色の液体が表示されるようになる。これが、ディスプレイ面で「黒色」となる。また、電気泳動方式には、泳動粒子を水平方向移動させるイン・プレーン型を採用するものもある。
【００７４】
図４において、ペーパディスプレイ（ＰＤ）部５００は、画像を表示する不揮発性のメモリを有するペーパディスプレイ素子アレイを有するペーパディスプレイモジュール５０１を備える。また、ＰＤ部５００は、ペーパディスプレイモジュール５０１を制御するペーパディスプレイシステムモジュール５１１を備える。
【００７５】
中央処理コントローラ５１６は、図１に示した制御装置１００から転送されてくる画像を有線I/F５１３（無線I/F１５１４）を介して画像データを取り込み、メモリ５１５に格納される。
【００７６】
中央処理コントローラ５１６は、メモリ５１５から画像データを読み出し、グラフィックコントローラ（ＧＣ）５１７へ送り、ＧＣ５１７は画像データ処理を行い、表示データを作成する。５０２はパネル制御ブロックである。
【００７７】
ＧＣ５１７は、パネルインターフェース５１８を介してペーパディスプレイモジュール５０１に表示データを送信する。また、中央処理コントローラ５１６から水平同期信号、垂直同期信号等のタイミング制御信号をペーパディスプレイモジュール５０１に送信する。表示データ、タイミング制御信号に基づいて駆動回路（Ｘ）５０３からデータ信号、駆動回路（Ｙ）５０４からスキャン信号を出力して表示を行う。
【００７８】
メモリ５１５には、複数ページ分のデータが格納されている。そして、不図示の操作ボタンよりページめくり指示もしくは、特定のページを表示する指示が入力される。この指示を受けた中央処理コントローラ５１６は、メモリ５１５から指定のページの画像データを読み出し、グラフィックコントローラ５１７へ送り画像が表示される。
【００７９】
また、電源管理ブロック５１２を経由してバッテリ５１９に接続されているが、ペーパディスプレイ素子アレイ５０２は、メモリ性を持つため、表示制御を行うときのみ電源を使用し、表示制御が終了すると電源は使われない電力制御が実行されている。
【００８０】
＜ペーパディスプレイ素子アレイ部の説明＞
以下、図５を参照して、ペーパディスプレイ素子アレイ５０２について説明する。
【００８１】
図５は、図３に示したペーパディスプレイ素子アレイ５０２の表示処理を説明する部分拡大断面図である。なお、本実施形態では、EPD（電気泳動現象を利用したディスプレイ）方式の表示部について示している。
【００８２】
これは、２枚のプラスチックフィルムの間に帯電したトナーを封じ込めて、トナーの面内分布を電気的に変化させて画像を形成するというものである。
【００８３】
図５において、表示部２０は、TFT部２２、接着剤層２３、カプセル化したディスプレイ媒体２４、および樹脂素材２６を備える。
【００８４】
TFT部２２がディスプレイ媒体２４に電場を印加すると、ディスプレイ媒体２４内の帯電したトナーは極性に応じてどちらかの電極上に静電吸着し、その表面を被う。
【００８５】
ここで、一方の電極を面積の小さな黒色、他方の電極を面積の大きな白色にしておくことで、コントラストを発生させて画像を形成するという仕組みである。なお、画像形成後、電気を切っても電極表面に吸着されたトナーはその状態を保持する特性を有するため、表示画像自体には不揮発性、逆に言うと、表示データが記憶され続けるという記憶特性がある。
【００８６】
図６〜図９は、図５に示したディスプレイ媒体２４の仕組みを説明するも駆動回路の一例を示す図である。なお、本実施形態では、１つのカプセルについて説明する。
【００８７】
図６において、６１３０は電気泳動ディスプレイの表示例を示す。バインダ６１３２は、複数の粒子６１３６および染色懸濁流体６１３８を充填された少なくとも１つのカプセル６１３４を含む。本実施形態において、粒子６１３６はチタニア粒子の例である。適切な極性の直流電界がカプセル６１３４に印加される場合には、粒子６１３６がディスプレイの視覚面へと移動して、光を散乱する。印加された電界が逆転される場合には、粒子６１３６はディスプレイの背面に移動し、そしてディスプレイの視覚面は、暗く見える。
【００８８】
図７において、７１４０は電気泳動ディスプレイの他の表示例を示す。この電気泳動ディスプレイ７１４０は、第１のセットの粒子７１４２および第２のセットの粒子７１４４をカプセル７１４１内に含む。６４８は電圧源である。
【００８９】
第１のセットの粒子７１４２および第２のセットの粒子７１４４は、対照をなす光学特性を有する。例えば、第１のセットの粒子７１４２および第２のセットの粒子７１４４は、異なる電気泳動移動度を有し得る。
【００９０】
加えて、第１のセットの粒子７１４２および第２のセットの粒子７１４４は、対照をなす色を有し得る。例えば、第１のセットの粒子７１４２は白で、第２のセットの粒子７１４４は黒であり得る。また、カプセル７１４１は実質的に透明な流体をさらに含む。カプセル７１４１は、カプセル７１４１を隣接して堆積された電極７１４６ａおよび７１４６ｂを有する。
【００９１】
電極７１４６ａ、７１４６ｂは、電圧源６４８に接続されており、カプセル７４４１に交流（ＡＣ）電界または直流（ＤＣ）電界を提供し得る。
【００９２】
電極７１４６ａ、７１４６ｂに電界を印加する際に、第１のセットの粒子７１４２は電極７１４６ｂに向かって移動するが、第２のセットの粒子７１４４は電極７１４６ａに向かって移動する。
【００９３】
図８において、８１５０は懸濁粒子ディスプレイの例を示す。懸濁粒子ディスプレイ８１５０は、透過な流体１５４中に針状の粒子８１５２を含む。粒子８１５２は、電極８１５６ａ、８１５６ｂにＡＣ電界を印加する際に、方向を変える。
【００９４】
ここで、ＡＣ電界が印加されると、粒子８１５２は表示面に対して垂直に方向付けされて、ディスプレイは透明に見える。ＡＣ電界が取り除かれると、粒子８１５２は不規則に方向付けられて、懸濁粒子ディスプレイ８１５０は不透明に見える。
【００９５】
図６〜図９に例示された電気泳動ディスプレイは単なる一例であり、他の電気泳動ディスプレイが本発明にしたがって使用され得る。
【００９６】
電気泳動ディスプレイの他の例は、共有に係わる同時係属中の米国特許出願シリアル番号０８／９３５，８００および０９／１４０，７９２で説明されており、本明細書中で参考として援用する。
【００９７】
別の詳細な実施形態において、表示媒体は、図９に示されるような複数の重クロム球体を含み得る。
【００９８】
図９において、重クロム球体９１６０は通常、第１の色の正に帯電された半球９１６２および第２の色の負に帯電された半球９１６４を液状媒体９１６６内に含む。電極９１６８ａ、９１６８ｂのペアを介して重クロム球体９１６０中に電界を印加する際に、重クロム球体９１６０は、回転して２つの半球９１６２、９１６４のうち１つの色を表示する。
【００９９】
＜ペーパディスプレイへ表示制御の説明＞
図１０は、本実施形態を示す情報処理装置における第１のデータ処理手順の一例を示すフローチャートである。本例は、ホストコンピュータ１０１から画像保存用のサーバ１０２にPDLデータを送信して保存する処理例である。なお、（１００１）〜（１００４）は各ステップを示す。ステップ（１００１）〜（１００３）はホストコンピュータ１０１によるステップで、ステップ（１００４）はサーバ１０２によるステップである。なお、各ステップは、ホストコンピュータ１０１或いはサーバ１０２の図示しない印刷制御プログラムをＣＰＵが実行することで実現される。
【０１００】
ホストコンピュータ１０１で、ユーザが選択したアプリケーションプログラムを実行することで、印刷させたい画像データや文書データを作成し（１００１）、図示しないプリンタドライバからペーパディスプレイIDを選択する（１００２）。なお、この際、図示しないＵＩ画面を介して、ペーパディスプレイIDを選択可能に構成されている。
【０１０１】
また、ペーパディスプレイIDは、あらかじめペーパディスプレイ部に設定登録しておく必要があり、通常は個人用のIDや、所有者の名前や所属の部署等ID等、ペーパディスプレイ部の特定がし易いものが使用されることが望ましい。
【０１０２】
さらに、会議の事前配布資料のように一度に複数のペーパディスプレイ部に対してデータを送信したい場合は、あらかじめ複数のペーパディスプレイIDをまとめてグループ登録しておく。これにより、ユーザがグループ名を指定することで複数のペーパディスプレイIDが自動的に付加され送信される。
【０１０３】
次に、アプリケーションにより作成された画像データまたは文書データは、プリンタドライバを介して、PDLデータに変換されて、そのPDLデータは、ＬＡＮ４００を介して、画像保存用のサーバ１０２に送信される（１００３）。以下では、サーバ１０２に保存される画像情報はPDLデータとするが、これ以外の種類のデータであってもよい。例えば、ペーパディスプレイ部５００にそのまま転送可能なデータであっても良い。
【０１０４】
そして、PDLデータは、サーバ１０２内の不図示のHDD等の大容量記憶手段に、ペーパディスプレイIDとともに保存され（１００４）、処理が終了する。
【０１０５】
なお、サーバ１０２に登録されたペーパディスプレイIDを、ホストコンピュータ１０１からの要求で、その内容を一覧表示する画面情報をホストコンピュータ１０１、または制御装置１００に、例えばＨＴＴＰで転送する。これにより、ホストコンピュータ１０１や制御装置１００がＷＥｂブラウザ等を介して、登録されたペーパディスプレイIDを一覧表示することで、ペーパディスプレイIDをユーザが事前に確認することができる。
【０１０６】
図１１は、本実施形態を示す画像処理装置における第１のデータ処理手順の一例を示すフローチャートである。本例は、図１に示した画像保存用のサーバ１０２に保存されたPDLデータを制御装置１００が検索してペーパディスプレイ部５００へ描画させる制御例である。なお、（１１０１）〜（１１０６）は各ステップを示す。なお、各ステップは、図１に示した制御装置１００のＣＰＵ１１１が制御プログラムを実行することで実現される。
【０１０７】
ペーパディスプレイ部５００が制御装置１００に装着されたことを、図３に示したセンサ１４１が検知すると、ペーパディスプレイ部５００と制御装置１００間の通信がコネクタ１４３，１４４を介して行われる（１１０１）。
【０１０８】
この通信では、ペーパディスプレイ部５００の解像度、描画サイズ、残メモリ容量、ペーパディスプレイIDといったペーパディスプレイ情報が制御装置１００に送られる。これにより、制御装置１００のＣＰＵ１１１は、取得したペーパディスプレイ情報をメモリ１３１上に保持する（１１０２）。
【０１０９】
次に、画像保存用のサーバ１０２に問い合わせて、サーバ１０２に保存されているPDLデータの検索要求をサーバ１０２に対して行う。そして、接続されたペーパディスプレイ部５００のペーパディスプレイIDに一致したID情報が付加されたPDLデータが保存されているか否かをサーバ１０２からの検索応答に基づいて、ＣＰＵ１１１が判断する（１１０３）。
【０１１０】
ここで、ＣＰＵ１１１が、該当するPDLデータがサーバ１０２に保存されていると判断した場合は、PDLデータをＬＡＮ４００と制御装置１００のNetworkController１３７とを介して受け取る。そして、ＣＰＵ１１１はPDLデータをラスタイメージデータに変換する展開処理及び圧縮伸張部１１９での圧縮処理（例えばJPEG（JBIG）圧縮処理）を施し（１１０４）、圧縮された画像データをメモリ１３１に一時的に保存する。
【０１１１】
次に、ＣＰＵ１１１は、メモリ１３１から画像データが読み出して、圧縮伸張部１１９で圧縮された画像データを伸張する。さらに、ペーパディスプレイ部５００との通信で取得したサイズ、解像度といった情報により、変倍回転部１２３で、解像度変換、画像サイズ変換、回転処理、ビット変換等のデータ変換処理を行う（１１０５）。そして、データ変換処理された画像データをシリアルI/F１２１及びコネクタ１４４を介してペーパディスプレイ部５００にデータ送信して（１１０６）、本処理を終了する。
【０１１２】
これにより、ペーパディスプレイ部５００が制御装置１００に装着されたことを、図３に示したセンサ１４１が検知した場合に、ペーパディスプレイ部５００から取得したペーパディスプレイIDに対応した画像情報をサーバ１０２から取得できる。
【０１１３】
なお、取得したペーパディスプレイIDに合致する画像情報をサーバ１０２が保存していないと判別できた場合には、操作部１５０に、他のペーパディスプレイ部の装着を促すメッセージを表示する。あるいは、保持されているペーパディスプレイIDの一覧を示す画面情報をサーバ１０２から取得して、Ｗｅｂブラウザ機能で、ペーパディスプレイIDの一覧を操作部１５０に表示して、ユーザ選択させる構成としてもよい。これにより、ユーザによるペーパディスプレイ部５００の装着、交換作業を省略できるため、利便性が向上する。
【０１１４】
また、ペーパディスプレイIDの一覧に代えて、例えばサーバ１０２に保存されている画像情報のサムネイル一覧を制御装置１００がサーバ１０２から取得して、操作部１０５で、ペーパディスプレイIDと、サムネイル画像とを並置して表示する。これにより、ユーザは、ペーパディスプレイ部５００に表示すべき画像情報の内容とＩＤとの双方を確認しがら、ペーパディスプレイ部５００に表示すべき画像情報を選択することできる。これは、極めてユーザの誤操作を回避するうえで有効な制御である。
【０１１５】
〔第２実施形態〕
図１２は、本実施形態を示す情報処理装置における第２のデータ処理手順の一例を示すフローチャートである。本例は、ホストコンピュータ１０１から画像保存用のサーバ１０２に日時を指定してPDLデータを送信する処理例である。なお、（１２０１）〜（１２０５）は各ステップを示す。ステップ（１２０１）〜（１２０４）は図１に示したホストコンピュータ１０１によるステップで、ステップ（１２０５）は、図１に示したサーバ１０２によるステップである。
【０１１６】
なお、各ステップは、ホストコンピュータ１０１あるいはサーバ１０２の図示しない印刷制御プログラムをＣＰＵが実行することで実現される。
【０１１７】
ホストコンピュータ１０１で、ユーザが選択したアプリケーションプログラムを実行することで、印刷させたい画像データや文書データを作成し（１２０１）、図示しないプリンタドライバでペーパディスプレイIDを選択する（１２０２）。次に、その画像データまたは文書データに日時情報を付加する（１２０３）。ここで、日時情報は、図示しないリアルタイムクロックや、ＯＳの機能で提供される日時情報を取得して設定可能とし、ユーザが日時を直接指定する構成であってもよい。
【０１１８】
本実施形態では、日時情報を付加することで、サーバ１０２から最新の画像情報だけを取得するために使用したり、今から開催される会議の資料だけを取得するような用途に使用したりすることが出来る。なお、検索キーとして機能する日時情報を暗号化した情報として、セキュリティ機能を強化できるように構成してもよい。
【０１１９】
そのため、日時情報は、会議が開催される日にちや、時刻や、現在の日時情報等が用途に合わせて設定される。
【０１２０】
なお、この際、図示しないＵＩ画面を介して、ペーパディスプレイIDを選択可能に、さらに日時情報を指定可能に構成されている。
【０１２１】
また、ペーパディスプレイIDは、あらかじめペーパディスプレイ部に設定登録しておく必要があり、通常は個人用のIDや、所有者の名前や所属の部署等ID等、ペーパディスプレイ部の特定がし易いものが使用されることが望ましい。
【０１２２】
さらに、会議の事前配布資料のように一度に複数のペーパディスプレイ部に対してデータを送信をしたい場合は、あらかじめ複数のペーパディスプレイIDをまとめてグループ登録しておく。これにより、ユーザがグループ名を指定することで複数のペーパディスプレイIDが自動的に付加され送信される。
【０１２３】
次に、アプリケーションにより作成された、日時情報が付加された画像データまたは文書データは、プリンタドライバを介して、PDLデータに変換され、PDLデータは、ＬＡＮ４００を介して、画像保存用のサーバ１０２に送信される（１２０４）。
【０１２４】
そして、PDLデータは、サーバ１０２内の不図示のHDD等の大容量記憶手段に、ペーパディスプレイID、日時情報とともに保存され（１２０５）、処理が終了する。
【０１２５】
図１３は、本実施形態を示す画像処理装置における第２のデータ処理手順の一例を示すフローチャートである。本例は、図１に示した画像保存用のサーバ１０２に保存されたPDLデータを制御装置１００が検索してペーパディスプレイ部５００へ描画させる他の制御例である。なお、（１３０１）〜（１３０７）は各ステップを示す。なお、各ステップは、図１に示した制御装置１００のＣＰＵ１１１が制御プログラムを実行することで実現される。
【０１２６】
ペーパディスプレイ部５００が制御装置１００に装着されたことを、図３に示したセンサ１４１が検知すると、ペーパディスプレイ部５００と制御装置１００間の通信がコネクタ１４３，１４４を介して行われる（１３０１）。
【０１２７】
この通信では、ペーパディスプレイ部５００の解像度、描画サイズ、残メモリ容量、ペーパディスプレイIDといったペーパディスプレイ情報が制御装置１００に送られる。これにより、制御装置１００のＣＰＵ１１１は、取得したペーパディスプレイ情報をメモリ１３１上に保持する（１３０２）。
【０１２８】
次に、画像保存用のサーバ１０２に問い合わせて、サーバ１０２に保存されているPDLデータの検索要求をサーバ１０２に対して行う。そして、接続されたペーパディスプレイ部５００のペーパディスプレイIDに一致したID情報が付加されたPDLデータが保存されているか否かをサーバ１０２からの検索応答に基づいて、ＣＰＵ１１１が判断する（１３０３）。
【０１２９】
そして、ＣＰＵ１１１が、該当するPDLデータが見つかったと判断した場合は、そのPDLデータに付加された日時情報を参照して、あらかじめ設定された日時条件Ｊ１〜Ｊ５に合致するかどうかを判断する（１３０４）。
【０１３０】
本実施形態では、ユーザが、ホストコンピュータ１０１、あるいは操作部１５０から、画像情報を取得する上での日時の条件として、Ｊ１：最新の日時ものだけを取得する。Ｊ２：現在の日時に近いものを取得する、Ｊ３：現在の日時より以前の画像を取得する、Ｊ４：現在の日時より以降の画像を取得する。Ｊ５：指定した日時の画像を取得する、を少なくとも１つあらかじめ設定しておくものとする。
【０１３１】
仮に今から行われる会議に使用する資料だけを取得したい場合は、Ｊ２の「現在の日時に近いものを取得する」を設定にしておく。
【０１３２】
そして、ステップ（１３０４）で、日時の条件Ｊ１〜Ｊ５のいずれにも該当するものがないと判断した場合は、本処理を終了する。なお、日時の条件に合致するものがないことを、ユーザの選択に応じて操作部１５０に表示して、画像データの取得処理を継続したり、強制終了したりする制御を加えてもよい。
【０１３３】
これにより、開催者は、予め画像保存用のサーバ１０２へ送信する時に、会議の開催日時が指定して送信しているため、画像情報を取得する側は今から開催される会議の資料だけを取得して会議に向かうことができる。
【０１３４】
そして、ステップ（１３０４）で、PDLデータに付加されている日時情報に一致する日時があるとＣＰＵ１１１が判断した場合は、そのPDLデータをＬＡＮ４００と制御装置１００のNetworkController１３７とを介して取得する。
【０１３５】
そして、ＣＰＵ１１１はPDLデータをラスタイメージに変換する画像データの展開処理及び圧縮伸張部１１９での圧縮処理（例えばJPEG（JBIG）圧縮処理）を施し（１３０５）、圧縮された画像データをメモリ１３１に一時的に保存する。
【０１３６】
次に、ＣＰＵ１１１は、メモリ１３１から画像データが読み出して、圧縮伸張部１１９で圧縮された画像データを伸張する。さらに、ペーパディスプレイ部５００との通信で取得したサイズ、解像度といった情報により、変倍回転部１２３で、解像度変換、画像サイズ変換、回転処理、ビット変換等のデータ変換処理を行う（１３０６）。そして、データ変換処理された画像データをシリアルI/F１２１及びコネクタ１４４を介してペーパディスプレイ部５００にデータ送信して（１３０７）、本処理を終了する。
【０１３７】
これにより、画像情報をサーバ１０２に保存する際に、日時情報を付加しておくことで、制御装置１００のユーザがペーパディスプレイ部５００にデータ送信する際の、画像の検索処理負担を軽減できる。よって、ユーザが所望する画像情報の取得処理が効率化され、利便性が向上する。
【０１３８】
〔第３実施形態〕
なお、上記第２実施形態では、画像情報をサーバ１０２に送信する際に、日時情報を付加して保存させる構成について説明した。
【０１３９】
これに対して、ホストコンピュータ１０１から画像保存用のサーバ１０２に画像情報を送信する時に、現在の日時情報を自動で付加して送信する構成としてもよい。なお、日時情報付加以外の処理は、第２実施形態と同様であるので、説明を省略する。
【０１４０】
上記各実施形態によれば、ペーパディスプレイ部に表示されるべき画像情報をサーバから制御装置に送信するときに、確実に自分のペーパディスプレイ部に対して画像情報が送信される。このため、他人のペーパディスプレイ部に誤送信して情報が漏洩する危険性が少なく、送信時のミスを減らすことが出来る。
【０１４１】
また、サーバを経由して画像情報を取得できるため時間や場所を選ばず画像情報を取得できるほか、日時を指定をすることで今必要な画像情報だけを取得することが可能となる。
【０１４２】
〔第４実施形態〕
以下、図１４、図１５に示すメモリマップを参照して本発明に係る情報処理装置、画像処理装置で読み取り可能なデータ処理プログラムの構成について説明する。
【０１４３】
図１４は、本発明に係る情報処理装置で読み取り可能な各種データ処理プログラムを格納する記憶媒体のメモリマップを説明する図である。
【０１４４】
図１５は、本発明に係る画像処理装置で読み取り可能な各種データ処理プログラムを格納する記憶媒体のメモリマップを説明する図である。
【０１４５】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１４６】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１４７】
本実施形態における図１０〜図１３に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１４８】
以上のように、前述した実施形態の機能を実現するソフトウエアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【０１４９】
この場合、記憶媒体から読み出されたプログラムコード自体が本発明の新規な機能を実現することになり、そのプログラムコードを記憶した記憶媒体は本発明を構成することになる。
【０１５０】
従って、プログラムの機能を有していれば、オブジェクトコード、インタプリタにより実行されるプログラム、ＯＳに供給するスクリプトデータ等、プログラムの形態を問わない。
【０１５１】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１５２】
この場合、記憶媒体から読出されたプログラムコード自体が前述した実施形態の機能を実現することになり、そのプログラムコードを記憶した記憶媒体は本発明を構成することになる。
【０１５３】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１５４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１５５】
また、コンピュータが読み出したプログラムコードを実行することにより、前述した実施形態の機能が実現されるだけではない。例えばそのプログラムコードの指示に基づき、コンピュータ上で稼働しているＯＳ（オペレーティングシステム）等が実際の処理の一部または全部を行う。そして、その処理によって前述した実施形態の機能が実現される場合も含まれることは言うまでもない。
【０１５６】
さらに、記憶媒体から読み出されたプログラムコードが、コンピュータに挿入された機能拡張ボードやコンピュータに接続された機能拡張ユニットに備わるメモリに書き込ませる。その後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５７】
本発明は上記実施形態に限定されるものではなく、本発明の趣旨に基づき種々の変形（各実施形態の有機的な組合せを含む）が可能であり、それらを本発明の範囲から排除するものではない。
【０１５８】
本発明の様々な例と実施形態を示して説明したが、当業者であれば、本発明の趣旨と範囲は、本明細書内の特定の説明に限定されるのではない。
【図面の簡単な説明】
【０１５９】
【図１】本発明の第１実施形態を示す情報処理装置、サーバ装置、画像処理装置、画像表示装置を含む画像処理システムの構成を説明する図である。
【図２】図１に示したリーダ装置、プリンタ装置，排紙ユニットを含む画像処理装置の構成を説明する断面図である。
【図３】図１に示したメインコントローラ部の構成を説明するブロック図である。
【図４】図１に示したペーパディスプレイ部の構成を説明するブロック図である。
【図５】図３に示したペーパディスプレイアレイ素子の表示処理を説明する部分拡大断面図である。
【図６】図３に示したペーパディスプレイアレイ素子の表示処理を説明する部分拡大断面図である。
【図７】図３に示したペーパディスプレイアレイ素子の表示処理を説明する部分拡大断面図である。
【図８】図３に示したペーパディスプレイアレイ素子の表示処理を説明する部分拡大断面図である。
【図９】図３に示したペーパディスプレイアレイ素子の表示処理を説明する部分拡大断面図である。
【図１０】本実施形態を示す画像処理装置における第１のデータ処理手順の一例を示すフローチャートである。
【図１１】本実施形態を示す画像処理装置における第１のデータ処理手順の一例を示すフローチャートである。
【図１２】本実施形態を示す画像処理装置における第２のデータ処理手順の一例を示すフローチャートである。
【図１３】本実施形態を示す画像処理装置における第２のデータ処理手順の一例を示すフローチャートである。
【図１４】本発明に係る情報処理装置で読み取り可能な各種データ処理プログラムを格納する記憶媒体のメモリマップを説明する図である。
【図１５】本発明に係る画像処理装置で読み取り可能な各種データ処理プログラムを格納する記憶媒体のメモリマップを説明する図である。
【符号の説明】
【０１６０】
１００  制御装置
１０１  ホストコンピュータ
１０２  サーバ
１１０  メインコントローラ部
１５０  操作部
５００  ペーパディスプレイ部
【図１】
0004732216.tif 000002
【図２】
0004732216.tif 000003
【図３】
0004732216.tif 000004
【図４】
0004732216.tif 000005
【図５】
0004732216.tif 000006
【図６】
0004732216.tif 000007
【図７】
0004732216.tif 000008
【図８】
0004732216.tif 000009
【図９】
0004732216.tif 000010
【図１０】
0004732216.tif 000011
【図１１】
0004732216.tif 000012
【図１２】
0004732216.tif 000013
【図１３】
0004732216.tif 000014
【図１４】
0004732216.tif 000015
【図１５】
0004732216.tif 000016